(57)【特許請求の範囲】
【請求項１】
包絡線消去回復型増幅器を利用して入力信号を増幅する方法であって、当該方法は：
前記入力信号の包絡線を検出する段階；
前記包絡線を増幅する段階であって、
前記包絡線を低周波数成分および高周波数成分に分割する段階；
Ｓ級変調器を利用して前記低周波数成分を増幅し、増幅された低周波数成分を生成する段階；
前記高周波数成分の振幅の関数として、Ｂ級増幅器への供給電圧を設定する段階；
前記供給電圧を用いて、前記Ｂ級増幅器を利用して前記高周波数成分を増幅し、増幅された高周波数成分を生成する段階；および
増幅された包絡線を形成するために、前記増幅された低周波数成分および前記増幅された高周波数成分を結合する段階；
より成る、包絡線を増幅する段階；および
増幅された要素をドレイン・バイアスとして用いて、電力増幅段において前記入力信号を増幅する段階を含むことを特徴とする方法。
【請求項２】
供給電圧を設定する段階が：
前記高周波数成分のピークを検出し、ピーク検出信号を生成する段階；
前記ピーク検出信号を調整して調整信号を生成する段階；および
前記調整信号を利用して前記Ｂ級増幅器の前記供給電圧を設定する段階；
より成ることを特徴とする請求項１記載の方法。
【請求項３】
結合する前記段階が：
前記増幅された低周波数成分をロー・パス・フィルタ処理し、ロー・パス・フィルタ信号を生成する段階；
前記増幅された高周波数成分をハイ・パス・フィルタ処理し、ハイ・パス・フィルタ信号を生成する段階；および
前記ロー・パス・フィルタ信号を前記ハイ・パス・フィルタ信号と結合する段階；
より成ることを特徴とする請求項１記載の方法。
【請求項４】
前記低周波数成分を増幅する段階が：
前記低周波数成分の振幅に比例するデューティ・サイクルを有するパルス幅変調された信号を生成する段階；および
前記パルス幅変調された信号をロー・パス・フィルタ処理し、前記増幅された低周波数成分を生成する段階；
より成ることを特徴とする請求項１記載の方法。
【請求項５】
入力信号を効率的に増幅する包絡線消去回復型増幅器であって：
ドレイン・バイアス入力を有し、前記入力信号を増幅する電力増幅段；
前記入力信号の包絡線を検出する包絡線検出器；および
前記入力信号の前記包絡線を増幅する適応性分割帯域変調器であって、前記電力増幅段の前記ドレイン・バイアス入力を駆動する出力を有し、前記入力信号を低周波数信号および高周波数信号に分割する、適応性分割帯域変調器を備え、前記適応性分割帯域変調器は、
前記適応性分割帯域変調器の入力に結合された入力を有し、前記低周波数信号を増幅する第１増幅器；
前記適応性分割帯域変調器の前記入力に結合された入力を有し、前記高周波数信号の振幅を検出するピーク検出器；
前記適応性分割帯域変調器の前記入力に結合された入力と、前記ピーク検出器の出力に結合された供給電力入力とを有し、前記高周波信号を増幅する第２増幅器；および
前記第１増幅器の出力と前記第２増幅器の出力とを結合する結合ネットワーク；
を備えることを特徴とする包絡線消去回復型増幅器。
【請求項６】
前記第１増幅器がS級変調器であることを特徴とする請求項５記載の包絡線消去回復型増幅器。
【請求項７】
前記第２増幅器がB級増幅器であることを特徴とする請求項５記載の包絡線消去回復型増幅器。
【請求項８】
前記ピーク検出器の前記出力と前記第２増幅器の前記供給電力入力との間に結合された電圧調整器を更に備えることを特徴とする請求項５記載の包絡線消去回復型増幅器。
【発明の詳細な説明】
（発明の属する技術分野）
本発明は一般に電力増幅器に関し、特に、高周波数広帯域用の電力増幅器に関する。
【０００１】
（背景技術）
様々な装置を利用して信号を増幅することが可能である。変調信号の増幅および伝送を行う増幅器の製品用途にあっては、増幅効率に重点が置かれる。さらに、多くの製品では幅広い帯域を必要とするので、広帯域信号の忠実な(歪みのない)複製物を効率的に生成する能力にも重点が置かれる。
【０００２】
これらの性能が求められる製品例としては、広帯域信号を頻繁に送信する通信装置がある。歪み(distortion)が小さいならば通信装置はより信頼性高く通信することが可能になり、効率が高ければ通信装置を単独のバッテリでより長期間動作させることが可能になる。
【０００３】
広帯域通信信号はそれに応じて一般に幅広い変調帯域を有する。すなわち、信号が多くのRF帯域を占有する場合、その帯域内の信号の包絡線は急激に変化する。この種の信号を効率的に増幅する増幅器は、幅広いRF帯域および幅広い変調帯域を有する。
【０００４】
効率を向上させる１つの手法は、包絡線消去回復型増幅器(EER: envelop elimination and restoration type amplifier)を利用するものである。EERは、高周波であるが非線形の無線周波数（RF）電力増幅器を、他の高効率増幅器と組み合わせて、高効率の線形増幅器システムを形成する技術である。増幅されるべき信号は２つの経路に分割され、一方は振幅経路で他方は位相経路である。検出された包絡線はS級または他の高効率電力増幅器により振幅経路において効率的に増幅され、その高効率電力増幅器はRF帯域というよりはむしろRF包絡線の帯域で動作するものである。位相経路における位相変調されたキャリア(搬送波)は、増幅された包絡線信号により振幅変調され、入力信号の増幅された複製物を生成する。
【０００５】
EER型の増幅器にあっては、変調帯域を占有する包絡線信号は振幅経路で増幅される。従来のEER型増幅器は複数のS級変調器(class S modulator)を利用して、入力信号の包絡線に含まれる変調帯域を増幅している。しかしながら、各S級変調器はそれらが動作する切替周波数により帯域制限され、その切替周波数が高くなるとS級変調器の効率は悪化してしまう。この実用上の制約は、所与の増幅器が効率的に達成することが可能な最大変調帯域を決めることになる。
【０００６】
したがって、幅広い変調帯域を利用する広帯域RF信号を効率的に増幅する電力増幅器が必要とされている。
【０００７】
（発明を実施するための最良の形態）
概して本発明は、幅広い変調帯域を有する広帯域信号を効率的に増幅する増幅器を提供することにより、上述した問題を克服するものである。
【０００８】
図１は本発明の好適実施例による増幅器のブロック図である。EER型増幅器１０は、電力分割器２１０、包絡線検出器２２０、適応分割帯域変調器(adaptive split band modulator)２７０、時間遅延素子２３０、リミッタ２４０および電力増幅器２６０を含む。EER型増幅器１０は、電力分割器２１０へのRF入力を受信する。電力分割器２１０はRF入力信号を、包絡線検出器２２０に向かう振幅経路と、時間遅延素子２３０に向かう位相経路に分割する。
【０００９】
EER型増幅器１０の位相経路には、時間遅延素子２３０、リミッタ２４０および電力増幅器２６０が含まれる。時間遅延素子２３０は、電力分割器２１０からの出力を受信し、振幅経路内の適応分割帯域変調器２７０で導入されるものに等しい遅延を生成する。リミッタ２４０は、時間遅延素子２３０からの遅延された信号出力を受信し、その信号を振幅制限する。リミッタ２４０は省略することが可能であり、また、軟制限(soft limiting)を実行することも可能である。しかしながら、リミッタ２４０の出力の位相情報が振幅情報をほとんど有しない又は有しないようにする観点からは、リミッタ２４０が厳格に制限する(hard limiting)ことが好ましい。リミッタを通過すると振幅情報は削除され、その結果生じる信号は位相変調されたキャリアである。リミッタ２４０からの位相変調されたキャリア出力は電力増幅器２６０に入力される。電力増幅器２６０は、変調することが可能な任意の増幅段であり、電界効果トランジスタ(FET)増幅器であることが好ましい。従来FETのドレインは一般にDC電源に結合されていた。しかしながら、後述するように、本願好適実施例にあってはFETのドレインは、ある信号とともに駆動され、振幅変調された出力信号を提供する。
【００１０】
好適実施例にあっては、時間遅延素子２３０が位相経路内で使用されているが、これは、各経路が実質的に等しい期間を経て、振幅経路および位相経路からの信号を再結合するためである。時間遅延素子２３０の遅延時間は、位相経路内の全遅延が振幅経路内の全遅延に実質的に等しくなるように定められる。遅延素子２３０は位相経路内の最初の素子として描かれているが、このことは位相経路内に遅延素子２３０を実際に配置する際の制約となるものではない。遅延素子２３０の機能は位相経路および振幅経路における遅延時間の均衡を保つことにあるので、遅延素子２３０の位相経路内の場所がどこであるかは重要ではない。
【００１１】
本発明の他の実施例では、時間遅延素子２３０単独の１つの回路を利用するのではなく、複数の回路を利用して２つの経路における遅延を適合させるものである。一実施例にあっては、複数の遅延ラインが利用され、位相経路および振幅経路の各々につき１つの遅延ラインが利用される。この場合、遅延ラインの遅延時間の絶対値はさほど重要ではなく、２つの遅延ライン間で異なる遅延を利用して２経路における遅延を適合させる。他の実施例にあっては、電力分割器２１０および時間遅延素子２３０を組み合わせたものとして、１入力多出力を有する表面音響波(SAW)遅延ラインのような異なる遅延ラインを利用することも可能である。この場合、先の実施例のように、異なる遅延を利用して２経路における遅延を適合させることが可能である。
【００１２】
EER型増幅器１０の振幅経路は、包絡線検出器２２０および適応分割帯域変調器２７０を含む。包絡線検出器２２０は、RF入力信号の包絡線を検出し、当初のRF入力信号に含まれていた振幅情報を表現する包絡線信号を出力する。包絡線検出器２２０はダイオード検出器であることが好ましいが、ダブル・バランス・ミキサ(double balance mixer)に基づく同期検出器のような多の種類の検出器を利用することも可能であろう。
【００１３】
適応分割帯域変調器２７０は、包絡線検出器２２０からの包絡線信号出力を増幅し、電力増幅器２６０のドレイン・バイアスを導出する。適応分割帯域変調器２７０は、所望の出力に見合うレベルまで包絡線信号を増幅する。適応性分割帯域変調器２７０の出力は、電力増幅器２６０用の供給電力であり、位相変調されたキャリアの再変調されたものはその包絡線を復元し、入力信号の増幅された複製物を生成する。
【００１４】
図１のEER型増幅器は、飽和領域近傍での動作を維持して高効率の領域内にあるように電力増幅器２６０のドレイン・バイアスを変化させる。非常に効率的な電力増幅器２６０はEER型増幅器１０で消費される電力の大部分を消費するので、回路全体は従来の増幅器よりも極めて効率的なものになる。
【００１５】
図２は本発明の好適実施例による適応分割帯域変調器のブロック図である。分割帯域変調器は少なくとも２つの増幅器を結合し、これらの増幅器の各々は異なる帯域幅を有するものである。好適実施例にあっては、分割帯域変調器は２つの増幅器を含み、第１増幅器は低周波数成分を増幅し、第２増幅器は高周波数成分を増幅する。第１増幅器は低周波数成分を効率的に増幅するものであり、第２増幅器は第１増幅器の帯域以上の信号を増幅するものである。分割帯域変調器は、それが第１の効率的な増幅器よりも広い帯域幅である点、およびそれが第２の広い帯域幅の増幅器よりも効率的である点で有利である。
【００１６】
図２に図示されている好適実施例にあっては、分割帯域変調器は、第１増幅器としてのS級変調器と、第２増幅器としてのB級増幅器を結合し、S級増幅器単独で達成可能な帯域よりも広い帯域を達成している。包絡線の低周波数成分は、S級変調器により効率的に増幅される。高周波数成分はB級増幅器で増幅され、S級変調器の出力に加えられる。低周波数成分は包絡線における電力の大部分をなすので、分割帯域変調器は単なるB級増幅器よりも非常に効率的である。適応分割帯域変調器２７０は、ハイ・パス・フィルタ７１０、ピーク検出器７３０、電圧調整器７４０、B級増幅器７５０、ハイ・パス・フィルタ７７０、ロー・パス・フィルタ７２０、S級変調器７６０およびロー・パス・フィルタ７８０を含む。
【００１７】
適応分割帯域変調器２７０は、入力信号の低周波数成分が、入力信号の高周波数成分から別個に増幅されるように構成される。好適実施例にあっては、低周波数成分は、ロー・パス・フィルタ７２０を利用して高周波数成分から分離される。ロー・パス・フィルタ７２０からの低周波数成分出力は、S級変調器７６０により増幅される。
【００１８】
S級変調器７６０は低周波数成分を効率的に増幅し、増幅された周波数成分を生成し、これはロー・パス・フィルタ７８０に入力される。ロー・パス・フィルタ７８０の出力におけるものは遅延させられ、入力信号の低周波数成分の増幅された形式のものとなる。
【００１９】
このような低周波数成分の増幅は、S級変調器７６０により非常に効率的に実行される。S級変調器７６０は、その入力をパルス幅変調することにより信号を効率的に増幅し、これによりパルス幅変調された信号を生成し、その後パルス幅変調された信号をフィルタ処理して出力を生成する。S級変調器７６０は切替装置(switching device)として動作するパルス幅変調器を含むので、切替周波数が高過ぎない限り、A級またはB級増幅器のような線形増幅器より効率的に動作する。先に述べたように、S級変調器７６０により効率的に増幅されることが可能な最大帯域幅は、特に、切替周波数の関数になる。実際の製品にあっては、S級変調器の切替周波数は制限される。ある切替周波数以上になると、S級変調器は効率的でなくなりS級変調器を利用するメリットがなくなってしまうからである。所与の帯域幅内でS級変調器７６０の効率が高いことに起因して、適応分割変調器２７０の低周波数経路においてできるだけ多くの入力信号を増幅することが好ましい。
【００２０】
入力信号中の高周波数成分は、ハイ・パス・フィルタ７１０を利用して入力信号の低周波数成分から分離される。ハイ・パス・フィルタ７１０は高周波数成分を出力し、これはB級増幅器７５０により増幅される。B級増幅器７５０の出力はハイ・パス・フィルタ７７０に与えられ、その結果生じる信号は、ロー・パス・フィルタ７８０で生成される低周波数成分と結合される。
【００２１】
S級変調器７６０およびB級増幅器７５０の出力において、フィルタはそれらに関連する有限の遅延を有する。これらの遅延は、低周波数成分および高周波数成分がその遅延とともに再結合され、その結果非常に忠実な入力信号の複製物を生成するように設定されるものである。さらに、適応分割帯域変調器２７０は、全体としてのその動作に関連する遅延を有する。適応分割帯域変調器２７０が、信号の包絡線を増幅するためにEER型増幅器内で利用される場合、適応分割帯域変調器２７０の遅延はEER型増幅器内の遅延手段により補償される。例えば、図１のEER型増幅器の例では、適応分割帯域変調器２７０の遅延は時間遅延素子２３０により補償される。
【００２２】
一般にB級増幅器はS級変調器と同程度に効率的なものではない。したがって、B級増幅器７５０の利用をできるだけ減らすことが望ましい。さらに、B級増幅器７５０が利用される場合は、最も効率的な動作領域でB級増幅器７５０の動作を維持し、平均効率を高くすることが好ましい。このため、ピーク検出器７３０が高周波数成分の振幅を検出し、電圧調整器７４０を駆動している。
【００２３】
高周波数成分の振幅に応答して、電圧調整器７４０はB級増幅器７５０用の供給電力を生成する。B級増幅器７５０の供給電力を、それが増幅する高周波数成分のピーク振幅近辺に維持することにより、B級増幅器７５０は、より効率的な動作領域に維持される。ピーク検出器７３０および電圧調整器７４０は、高周波数成分の振幅に適応的に従い、B級増幅器７５０に電力を供給する。高周波数成分がほとんどない又は皆無である場合、B級増幅器７５０の供給電圧はほとんどなく又は皆無であり、B級増幅器７５０を不必要にバイアスして電力を浪費しないようにしている。
【００２４】
適応性分割帯域変調器２７０の効率は、B級増幅器７５０により増幅された部分のピーク平均比(peak to average ratio)に加えて、各増幅器により増幅された信号電力の部分に依存する。両パラメータは増幅される信号に強く依存する。適応性分割帯域変調器２７０がEER型増幅器内で包絡線を増幅するために使用される場合、B級増幅器２５０で増幅される必要のある信号は包絡線の高周波数成分より成る。この信号のピーク平均比は一般に包絡線自身のものと同程度又はそれより大きい。信号の電力量およびピーク平均比の両者は、RF信号の種別およびS級変調器で増幅可能な包絡線の部分に依存する。したがって、両者は、伝送される信号の数および種別が変化すると変化する。
【００２５】
信号のピーク振幅が増幅器の最大出力に一致する場合、B級増幅器の効率は最も高い。既存の分割帯域変調器は固定された供給電圧を利用する。供給電圧は、可能な最大信号に適合するのに充分なだけ大きなものである必要があるので、従来の分割帯域変調器では、B級増幅器は他の総ての信号に対して可能な最大効率よりも低い効率で動作していた。
【００２６】
適応分割帯域変調器２７０は、S級変調器７６０単独で効率的に増幅されることが可能なものよりも広い帯域幅を効率的に増幅する。さらに、適応分割帯域変調器２７０は、その広い帯域幅を従来の分割帯域変調器よりも効率的に増幅する。ピーク検出器７３０および電圧調整器７４０を含む適応的な要素(adaptive component)は、従来の分割帯域変調器のものを越えて高周波数経路の効率を向上させるために動作する。
【００２７】
以上説明した適応性分割帯域変調器２７０は、S級変調器を利用して低周波数成分を増幅し、B級増幅器を利用して高周波数成分を増幅するものであった。さらに、B級増幅器の供給電圧は適応的に修正され、B級増幅器の効率を向上させる。このS級変調器およびB級増幅器は例示的なものであり、本発明の恩恵を享受することの可能な増幅器の種別を限定するものではない。他の実施例にあっては、S級以外の種別の増幅器を利用して低周波数成分を増幅し、B級以外の種別の増幅器を利用して高周波数成分を増幅する。
【００２８】
幅広い帯域にわたる効率的な増幅を提供する回路配置は、多くの恩恵をもたらす。その恩恵の１つは、より大きな変調帯域を増幅する能力であり、これによりEER型増幅器における幅広いRF帯域の効率的な増幅を可能にする。
【００２９】
図３は本発明の他の実施例による増幅器を示す。図３にあっては、中間周波数(IF)信号がEER型増幅器２０の入力として示されている。このIF信号は電力分割器２１０に入力される。電力分割器２１０は、入力信号を振幅経路および位相経路に分割するよう機能する。振幅経路はスケール化増幅器２１５に向かい、位相経路は時間遅延素子２３０に向かう。
【００３０】
EER型増幅器２０の振幅経路には、スケール化増幅器２１５、包絡線検出器２２０および適応性分割帯域変調器２７０がある。スケール化増幅器２１５を除いて、各要素は図１に示された要素に対応し、同様の名称および参照番号を有する。さらに、適応分割帯域変調器２７０は、図１の適応分割帯域変調器２７０に対応し、図２に関連して先に説明したものと同様のものである。
【００３１】
スケール化増幅器２１５は電力分割器２１０からピーク検出信号を受信し、フィードバック・ネットワーク２２５からフィードバック信号も受信する。一方フィードバック・ネットワーク２２５は、RF出力の包絡線信号をサンプリングするカプラ２６５から入力を得る。カプラ２６５、フィードバック・ネットワーク２２５およびスケール化増幅器２１５を含むフィードバック経路は、適応性分割帯域変調器２７０および電力増幅器２６０に起因する非線形性を減少させることに寄与する。
【００３２】
カプラ２６５はフィードバック用に出力信号をサンプルするために使用される。カプラ２６５の代わりに出力信号をサンプリングする任意の手段を利用して、本発明を実施することが可能であることは言うまでもない。カプラ２６５はRF包絡線のサンプルを取得し、それをフィードバック・ネットワーク２２５を介して振幅経路に帰還させる。このフィードバック回路は、非常に高い周波数信号を帰還させることなく、高周波で動作する増幅器へのフィードバックを行う利益を与える。このループ経路の帯域条件は、RF帯域幅ではなく包絡線帯域幅により定められ、RF信号周波数が増加してもフィードバックの利益が維持される。
【００３３】
フィードバック・ネットワーク２２５はアナログ又はディジタルとすることが可能であるが、アナログとすることが好ましい。フィードバック・ネットワーク２２５は減衰器のような周知の回路を含む。スケール化増幅器２１５は様々な種類の増幅器の内の１つであり、例えば演算増幅器である。
【００３４】
電力増幅器２６０に起因する歪みがある場合、フィードバック経路は、電力増幅器２６０のドレイン・バイアス入力および出力間の非線形振幅遷移特性から生じた振幅歪みを減少させる。適応性分割帯域変調器２７０に起因する歪みがある場合、フィードバック経路は、ロー・パス・フィルタ７２０，７８０(図２)およびハイ・パス・フィルタ７１０，７７０(図２)間の遷移領域により生じた歪みを減少させる。
【００３５】
図３に示すようなEER型増幅器における包絡線フィードバックにより、相互変調積(inter-modulation product)における大幅な改善がなされる。図３に示されるような本発明の手法は、EER型増幅器の相互変調特性を改善し、最大電力および飽和領域の動作を可能にし、更に、厳密な隣接チャネル電力条件(strict adjacent channel requirement)での動作を可能にする。
【００３６】
EER型増幅器２０の位相経路には、時間遅延素子２３０、リミッタ２４０、周波数変換器２５０および電力増幅器２６０がある。時間遅延素子２３０、リミッタ２４０および電力増幅器２６０は図１に示す要素と同様であり、同様の名称および参照番号を有する。図１に示されているものとは異なり、図３の実施例では位相経路内に周波数変換器がある。周波数変換器２５０は、キャリア信号の周波数を、ミキサのような周知の回路を利用して最終的なRF周波数に変換する。その結果生じる信号を利用して、最終的なRF周波数で動作する電力増幅器２６０を駆動する。
【００３７】
周波数変換器２５０の動作に起因して、図３の増幅器は最終RF周波数とは異なる周波数における信号を採用する。図３はEER型増幅器２０へのIF信号入力を示している。このIF入力信号はその後生じるRF周波数以上または以下とすることが可能である。さらに、当業者であれば、ベースバンド信号を利用することも可能であることを理解するであろう。したがって、図３に示されている他の実施例にあっては、入力信号はRF周波数とは異なる任意の周波数とすることが可能である。
【００３８】
この回路配置にあっては、増幅器と一体的な部分である周波数変換器に関連して、増幅器は、増幅器を収容する装置とともにより集約的に集積される。この集積性により、小型化および低消費電力化等が可能になり、製造も容易になる。
【００３９】
図３に示されているようなフィードバック経路および周波数変換器は、共に使用される必要性はない。すなわち、図３の増幅器はフィードバック経路を利用せずに周波数変換器を利用することが可能であり、又は逆に、周波数変換器を利用せずにフィードバック経路を利用することも可能である。
【００４０】
図４は本発明の好適実施例による通信装置を示す。通信装置３００は増幅器３２０およびアンテナ３１０を備える。増幅器３２０は、例えばEER型増幅器１０(図１)、適応性分割帯域変調器２７０(図２)またはEER型増幅器(図３)のような本発明による任意の増幅器とすることが可能である。通信措置３００は、通信をすることが可能な多種多様な装置の１つとすることが可能である。それは例えば、通信システムにおける加入者装置、無線受信機、送信機および送受信機、一方向および双方向ページャ、セルラ電話等があるが、これらに限定されるわけではない。
【００４１】
図５は本発明の好適実施例による信号を増幅するためのフローチャートを示す。ステップ５１０において、入力信号が２つの成分に分割される。一方は低周波数成分であり、他方は高周波数成分である。様々な手段を利用して、低周波数成分および高周波数成分に信号が分割される。その手段の１つとしては、受動フィルタ(passive filter)が挙げられる。高周波数成分から分離された低周波数成分に関し、２つの成分は互いに影響を与えることなく修正されることが可能である。特にそれらは異なる手段を利用して増幅されることが可能である。
【００４２】
入力信号が２つの別個の成分に分割された後、ステップ５２０において、低周波数成分はS級変調器を利用して増幅される。S級変調器は、入力信号の低周波数成分の振幅に比例するデューティ・サイクルを有するパルス幅変調された信号を生成することによって、信号を増幅する。パルス幅変調された信号はその後ロー・パス・フィルタ処理され、入力信号の増幅された複製物を生成する。
【００４３】
ステップ５３０において、高周波数成分のピークが検出される。高周波数成分のピークはステップ５４０において調整され、その結果生じる調整されたピーク信号を利用して、ステップ５５０においてB級増幅器への電力を供給する。
【００４４】
ステップ５６０において、B級増幅器を利用して高周波数成分を増幅する。低周波数成分がS級変調器で増幅され、高周波数成分がB級増幅器で増幅された後、その結果生じる増幅成分はステップ５７０において共に結合され、当初信号の増幅された複製物が生成される。
【００４５】
要するに、上述した本発明の手法は、大きなRF帯域およびそれに対応する大きな変調帯域を有する信号を効率的に増幅する様々な手法を提供する。適応性分割帯域変調器を利用するEER型増幅器の実施例が説明された。適応性分割帯域変調器は、広帯域包絡線を効率的に増幅し、EER型増幅器が幅広い変調帯域を有する広帯域信号を効率的に増幅することを可能にする。
【００４６】
以上の説明は、本発明を充分に開示するものであろう。本発明は特定の実施例に関連して説明されてきたが、本発明はこれらの実施例に限定されるものではない。本発明の精神から逸脱することなく、様々な改良や変形をすることが可能であろう。例えば、ピーク検出器７３０および電圧調整器７４０を組み合わせることも可能であろうし、電力増幅器２６０を多段構成にすることも可能であろう。
【図面の簡単な説明】
【図１】 本発明の好適実施例による増幅器のブロック図を示す。
【図２】 本発明の好適実施例による適応分割帯域変調器のブロック図を示す。
【図３】 本発明の他の実施例による増幅器のブロック図を示す。
【図４】 本発明の好適実施例による通信装置のブロック図を示す。
【図５】 本発明の好適実施例における信号増幅手法のフローチャートを示す。
【図１】
0004216462.tif 000002
【図２】
0004216462.tif 000003
【図３】
0004216462.tif 000004
【図４】
0004216462.tif 000005
【図５】
0004216462.tif 000006